(57)【要約】    【課題】  記憶部の記録データに応じて目視データの書換えが可能な表示部に感温変色インクを用いたリライトカードを処理する新規なカード処理装置を提供する。    【解決手段】  搬送経路５上のリライトカード２の記憶部に対してデータの書込み／読取り処理を行うデータ処理部１３と、リライトカード２の感温変色インクで形成した表示部２Ａを、冷却装置２３で冷却されている冷却室２２で冷却して変色させ、目視データを消去する変色処理ユニット２０と、表示部２Ａに対してデータ処理部１３で書込みデータに応じた目視データをサーマルヘッド１４Ａで加熱処理して印字する印字処理部１４とを備えて構成した。【選択図】  図３
2006243835.tif 000002
【特許請求の範囲】
【請求項１】
読み書き可能なデータの記憶部を有し、外表面の少なくとも一部に可逆的に変色可能な感温変色インクで形成した表示部を有するリライトカードの前記表示部に対して、前記記憶部の記録データに応じた目視データを印字処理可能なカード処理装置であって、
搬送経路上の前記リライトカードの前記記憶部に対してデータの書込み／読取り処理を行うデータ処理部と、
前記リライトカードの前記表示部を変色処理して印字された前記目視データを消去する変色処理部と、
前記表示部に対して前記データ処理部で書込んだ書込みデータに応じた目視データを印字処理する印字処理部と、
を備えて構成したことを特徴とするカード処理装置。
【請求項２】
カード挿入部から前記リライトカードが挿入されたことを検知するカード挿入検知手段を備え、該カード挿入検知手段の検知出力に基づいて、前記データ処理部、前記変色処理部及び前記印字処理部の動作を制御し、書込みデータに応じた目視データを前記表示部に印字してリライトカードを前記カード挿入部から排出する構成である請求項１に記載のカード処理装置。
【請求項３】
前記リライトカードを収納するホッパ部を備え、カード発行指令に基づいて、前記データ処理部、前記変色処理部及び前記印字処理部の動作を制御し、書込みデータに応じた目視データを前記表示部に印字してリライトカードを発行する構成である請求項１又は２に記載のカード処理装置。
【請求項４】
前記変色処理部で、前記表示部を冷却処理して前記目視データを消去し、前記印字処理部で、前記表示部を加熱処理して前記目視データを印字処理する構成である請求項１〜３のいずれか１つに記載のカード処理装置。
【請求項５】
リライトカードを搬送する第１搬送手段と、搬送経路に沿って配置された前記データ処理部及び前記印字処理部と、搬送経路上のカード搬送状態に応じて前記データ処理部及び前記印字処理部を駆動制御する第１制御手段とを備えて構成されるデータ処理ユニットと、
リライトカードを冷却する冷却室と、該冷却室内を冷却する冷却装置と、前記冷却室にリライトカードを搬入する第２搬送手段と、前記冷却室に搬入されたリライトカードを前記表示部の変色処理に必要な時間停止保持するよう前記第２搬送手段を駆動制御する第２制御手段とを備えて構成される変色処理ユニットとを、備えて構成した請求項４に記載のカード処理装置。
【請求項６】
前記第２搬送手段を、搬送経路を挟んで上下に互いに対向配置された搬送ローラで構成するとき、該搬送ローラを前記カード搬入口に近接させて前記冷却室内に配置し、かつ、上下の搬送ローラを互いに接触させる構成とした請求項５に記載のカード処理装置。
【請求項７】
前記冷却室のカード搬入口を開閉可能な開閉部材を設ける構成とした請求項５又は６に記載のカード処理装置。
【請求項８】
前記冷却室の湿度を管理する湿度管理手段を備える構成とした請求項５〜７のいずれか１つに記載のカード処理装置。
【請求項９】
前記印字処理部は、前記表示部の印字部分をサーマルヘッドで加熱処理して印字する構成である請求項４〜８のいずれか１つに記載のカード処理装置。
【請求項１０】
リライトカードの回収部を備える構成である請求項１〜９のいずれか１つに記載のカード処理装置。
【発明の詳細な説明】
【技術分野】
【０００１】
本発明は、記録データに応じて目視データの書換えが可能な表示部を有するリライトカードを処理するカード処理装置に関し、特に、表示部に感温変色インクを用いたリライトカードを処理するカード処理装置に関する。
【背景技術】
【０００２】
近年、ＩＣカードや磁気カード等のデータ記録が可能なカード媒体の外表面に、目視データの書換えが可能な表示部を有するリライトカードが、定期券、ポイントカード、プリペードカード等の種々の用途に用いられている。
【０００３】
従来のリライトカードの表示部には、透視可能な窓部を有する密閉空間部内に封入した磁性粒子を、磁気作用を利用して表示パターンに応じて配列させて目視データを表示するもの（例えば、特許文献１参照）や、ロイコ染料を用いたもの（例えば、特許文献２参照）等が実用化されている。
【特許文献１】特開平７−２９０８６８号公報
【特許文献１】特開２００３−２５１９６９号公報
【発明の開示】
【発明が解決しようとする課題】
【０００４】
しかしながら、磁性粒子を利用した表示部は、表示情報を磁気ヘッドで書込むため、表現できる文字種が、英数字、カタカナに限られ漢字やひらがなは表現できない。また、表示領域が限られ、表示できる文字数も最大１６文字であり、表示できる情報量が少ない。ロイコ染料を用いた表示部は、表現できる文字種や表示情報量は多いが、目視データの書換えのために、表示部に対してきめ細かな温度制御を行う必要がある。このため、表示部の目視データの書換え処理が容易なリライトカードが要望されている。
【０００５】
ところで、近年、温度に応じて可逆的に変色する感温変色インクが実用化されている。この感温変色インクは、図１２に示すように温度を上昇させていった時の第１の色から第２の色に変色する変色点温度ｔ２と、温度を降下させていった時の第２の色から第１の色に変色する変色点温度ｔ１（ｔ１＜ｔ２）とが異なるヒステリシス特性を示し、温度ｔ１以下の温度域の第１の色と温度ｔ２以上の温度域の第２の色がｔ１〜ｔ２の間でそれぞれ維持される。かかる感温変色インクは、簡単な冷却処理と加熱処理で変色が可能であり、リライトカードの表示部として有望であり、このようなリライトカードを処理するためのカード処理装置の実現が望まれている。
【０００６】
本発明は上記問題点に着目してなされたもので、目視データの書換えが可能な表示部に感温変色インクを用いたリライトカードを処理する新規なカード処理装置を提供することを目的とする。
【課題を解決するための手段】
【０００７】
このため、請求項１の発明では、読み書き可能なデータの記憶部を有し、外表面の少なくとも一部に可逆的に変色可能な感温変色インクで形成した表示部を有するリライトカードの前記表示部に対して、前記記憶部の記録データに応じた目視データを印字処理可能なカード処理装置であって、搬送経路上の前記リライトカードの前記記憶部に対してデータの書込み／読取り処理を行うデータ処理部と、前記リライトカードの前記表示部を変色処理して印字された前記目視データを消去する変色処理部と、前記表示部に対して前記データ処理部で書込んだ書込みデータに応じた目視データを印字処理する印字処理部と、を備えて構成した。
【０００８】
かかる構成では、データ処理部で、搬送経路上のリライトカードに対してデータの読取り及び書込み処理を行う。読取ったデータに基づいて既に表示部に目視データが印字されているリライトカードであれば変色処理部にリライトカードを搬送して変色処理して目視データを消去し、その後、リライトカードを印字処理部に搬送して書込みデータに応じた目視データを表示部に対して印字処理する。また、表示部に目視データが印字されていない新規発行のリライトカードであれば、直ちに印字処理部に搬送して書込みデータに応じた目視データを表示部に対して印字処理する。
【０００９】
請求項２のように、カード挿入部から前記リライトカードが挿入されたことを検知するカード挿入検知手段を備え、該カード挿入検知手段の検知出力に基づいて、前記データ処理部、前記変色処理部及び前記印字処理部の動作を制御し、書込みデータに応じた目視データを前記表示部に印字してリライトカードを前記カード挿入部から排出する構成とするとよい。
かかる構成では、カード挿入部から挿入されたリライトカードを処理することができるようになる。
【００１０】
請求項３のように、前記リライトカードを収納するホッパ部を備え、カード発行指令に基づいて、前記データ処理部、前記変色処理部及び前記印字処理部の動作を制御し、書込みデータに応じた目視データを前記表示部に印字してリライトカードを発行する構成とするとよい。
かかる構成では、ホッパ部にリライトカードを収納させておくことで、表示部に目視データを印字してリライトカードを自動発行できるようになる。
【００１１】
具体的には、請求項４のように、前記変色処理部で、前記表示部を冷却処理して前記目視データを消去し、前記印字処理部で、前記表示部を加熱処理して前記目視データを印字処理する構成とするとよい。
【００１２】
請求項５のように、リライトカードを搬送する第１搬送手段と、搬送経路に沿って配置された前記データ処理部及び前記印字処理部と、搬送経路上のカード搬送状態に応じて前記データ処理部及び前記印字処理部を駆動制御する第１制御手段とを備えて構成されるデータ処理ユニットと、リライトカードを冷却する冷却室と、該冷却室内を冷却する冷却装置と、前記冷却室にリライトカードを搬入する第２搬送手段と、前記冷却室に搬入されたリライトカードを前記表示部の変色処理に必要な時間停止保持するよう前記第２搬送手段を駆動制御する第２制御手段とを備えて構成するとよい。
【００１３】
請求項５の構成において、請求項６のように、前記第２搬送手段を、搬送経路を挟んで上下に互いに対向配置された搬送ローラで構成するとき、該搬送ローラを前記カード搬入口に近接させて前記冷却室内に配置し、かつ、上下の搬送ローラを互いに接触させる構成とするとよい。
かかる構成では、上下の搬送ローラを接触させてカード搬入口に近接配置することにより、カード搬入口からの冷気の漏れを極力少なくできるようになる。
【００１４】
また、請求項７のように、前記冷却室のカード搬入口を開閉可能な開閉部材を設ける構成とするとよい。
また、請求項８のように、前記冷却室の湿度を管理する湿度管理手段を備える構成とするとよい。
【００１５】
請求項９のように、前記印字処理部は、前記表示部の印字部分をサーマルヘッドで加熱処理して印字する構成とするとよい。
請求項１０のように、リライトカードの回収部を備える構成とするとよい。
【発明の効果】
【００１６】
以上説明したように本発明によれば、表示部に感温変色インクを使用したリライトカードを処理することが可能で、表示部に印字する目視データの書換え処理のための温度管理が簡単な新規なカード処理装置を提供できる。
【発明を実施するための最良の形態】
【００１７】
以下、本発明の実施形態を図面に基づいて説明する。
図１〜図３は、本発明に係るカード処理装置の第１実施形態を示す図で、図１はブロック構成図、図２及び図３は、カード処理装置内の搬送系の概略構成を示す上面図と側面図である。
図において、本実施形態のカード処理装置１は、読み書き可能なデータの記憶部を有し、外表面の少なくとも一部、例えば表面全面に可逆的に変色可能な感温変色インクで形成した表示部２Ａを有するリライトカード２（図２及び図３に示す）の表示部２Ａに対して、記憶部の記録データに応じた目視データを印字処理可能な装置であって、データ処理ユニット１０と、変色処理ユニット２０と、前記データ処理ユニット１０及び変色処理ユニット２０の駆動を制御する制御部３０とを備えて構成される。尚、リライトカード２の表示部２Ａは、カード外表面の少なくとも一部領域に形成してあればよく、表面の一部領域に形成するようにしてもよい。また、リライトカードのカード媒体は、内蔵のＩＣにデータを記憶するＩＣカードや、磁気層にデータを記憶する磁気カードのいずれでもよい。
【００１８】
前記データ処理ユニット１０は、図２及び図３に示すように、装置本体３の一端側に設けたカード挿入部４に続く搬送経路５（図中一点鎖線で示す）に沿って配置され、搬送経路５上のカード位置を検知するカード検知センサ群１１と、カード挿入方向検知センサ１２と、データ処理部１３と、印字処理部１４と、搬送経路５に沿ってリライトカード２を搬送するための搬送ローラ１５ａ〜１５ｆと、図２及び図３には図示しないが搬送経路５の下側の搬送ローラ１５ａ〜１５ｃを駆動する搬送ローラ駆動モータ１６とを備える。ここで、搬送ローラ１５ａ〜１５ｆと搬送ローラ駆動モータ１６で第１搬送手段を構成する。
【００１９】
前記カード検知センサ群１１は、例えば搬送経路３を挟んで上下に互いに対向配置された発光素子１１ａ〜１１ｃと受光素子１１ｄ〜１１ｆでそれぞれ構成される３個の光センサ１１Ａ〜１１Ｃからなり、搬送経路５に沿って適切な間隔を設けて配置されている。
カード挿入方向検知センサ１２は、搬送経路５の下側に配置されて例えばリライトカード２の裏面の適所に設けたバーコードを検出してカード挿入方向を検知する。
データ処理部１３は、リライトカード２に対してデータの読取り／書込み処理を行うものであり、リライトカード２がＩＣカードであればデータの送受信可能な送受信機能を備えた読取り／書込み装置で構成され、磁気カードであれば磁気ヘッドを備えた読取り／書込み装置で構成される。
【００２０】
印字処理部１４は、リライトカード２の表示部２Ａに目視データを印字処理するものであり、例えばサーマルヘッド１４Ａとプラテンローラ１４Ｂを備え、表示部２Ａを加熱処理して目視データを印字する感熱装置で構成される。ここで、表示部２Ａの感温変色インクが図１２に示す温度特性とすれば、サーマルヘッド１４Ａにより温度ｔ２以上に加熱処理して印字部分を第２の色に変色させることにより、目視データが印字される。
搬送ローラ駆動モータ１６は、正逆転可能であり、例えばベルト等の動力伝達部材を介して搬送ローラ１５ａ〜１５ｃを駆動し、これにより、搬送ローラ１５ａ〜１５ｃに接触する搬送経路５上側の搬送ローラ１５ｄ〜１５ｆが従動し、搬送ローラの回転方向に応じてリライトカード２を搬送する。
【００２１】
前記変色処理ユニット２０は、リライトカード２の表示部２Ａの目視データを消去処理する変色処理部に相当するものであり、図２及び図３に示すように、搬送経路５に沿ってデータ処理ユニット１０に続いて配置され、搬送経路５上のカード位置を検知するカード検知センサ群２１と、リライトカード２を冷却する冷却室２２と、冷却室２２を冷却する冷却装置２３と、リライトカード２を冷却室２２に搬送する搬送ローラ２４ａ〜２４ｄと、図２及び図３には図示しないが搬送経路５の下側の搬送ローラ２４ａ，２４ｂを駆動する搬送ローラ駆動モータ２５とを備える。ここで、搬送ローラ２４ａ〜２４ｄと搬送ローラ駆動モータ２５で第２搬送手段を構成する。
【００２２】
前記カード検知センサ群２１は、搬送経路３を挟んで上下に互いに対向配置された発光素子２１ａ，２１ｂと受光素子２１ｃ，２１ｄでそれぞれ構成される２個の光センサ２１Ａ，２１Ｂからなり、例えば、冷却室２２を挟んで変色処理ユニット２０の両端に配置される。
前記冷却室２２は、図示しないが例えばスリット状のカード搬入口が両端に形成されており、カード搬入口以外は外部と遮断された密閉空間を形成している。
冷却装置２３は、カード処理装置１の電源オンにより冷却動作を開始し、冷却室２２内に突入させたケーシング先端が吸熱部となって熱を吸収することにより冷却室２２内を冷却する。表示部２Ａの感温変色インクが図１２に示す温度特性とすれば、冷却装置２３により、冷却室２２を温度ｔ１以下の温度に冷却しておく。これにより、表示部２Ａを温度ｔ１以下に冷却して表示部全面を第１の色に変色させることにより、目視データが消去される。
【００２３】
搬送ローラ２４ａ〜２４ｄは、冷却室２２内で各カード搬入口に近接して配置されており、リライトカード２が存在しない状態で上下の搬送ローラ２４ａと２４ｃ，２４ｂと２４ｄが互いに接触してカード搬入口の隙間を極力少なくして冷気が室外へ極力漏れないよう構成している。尚、冷気の漏れ防止のためにカード搬入口を開閉可能な開閉部材としてシャッタ等を設け、カードの搬送状態に応じて開閉制御するようにしてもよい。
搬送ローラ駆動モータ２５は、正逆転可能であり、例えばベルト等の動力伝達部材を介して搬送ローラ２４ａ，２４ｂを駆動し、これにより、搬送経路５上側の搬送ローラ２４ｃ，２４ｄが従動し、搬送ローラの回転方向に応じてリライトカード２を搬送する。
【００２４】
前記制御部３０は、データ処理ユニット１０のカード検知センサ群１１及びカード挿入方向検知センサ１２からのセンサ出力に基づいて、搬送ローラ駆動モータ１６を駆動制御してリライトカード２の搬送状態を制御すると共にデータ処理部１３及び印字処理部１４の動作開始タイミングを制御し、データ処理部１３からの出力データに基づいて印字処理部１４の印字動作を制御する。また、制御部３０は、変色処理ユニット２０のカード検知センサ群２１からのセンサ出力に基づいて、搬送ローラ駆動モータ２５を駆動制御して変色処理ユニット２０内におけるリライトカード２の搬送状態を制御する。従って、制御部３０は、データ処理ユニット１０における第１制御手段と変色処理ユニット２０における第２制御手段の機能を有する。
【００２５】
次に、図４のフローチャートを参照して本実施形態のカード処理装置１の基本的な処理動作の概略的な流れとカード搬送動作の概略について簡単に説明する。
カード挿入部４にリライトカード２が挿入されると（ステップ１（図中Ｓ１で示し、以下同様とする））、カード挿入検知手段としての光センサ１１Ａがリライトカード２を検知し、その検知信号が制御部３０に入力し、制御部３０からの指令により搬送ローラ駆動モータ１６を駆動し、リライトカード２の搬送を開始し、搬送経路５に沿ってデータ処理部１３へ搬送する（ステップ２）。光センサ１１Ｂからカード検知信号が制御部３０に入力すると、制御部３０からの指令によりデータ処理部１３が動作し、データの読取りと書込み処理を実行する（ステップ３，４）。その後、変色処理ユニット２０へリライトカードを搬送する（ステップ５）。光センサ２１Ａからカード検知信号が制御部３０に入力すると、制御部３０からの指令により搬送ローラ駆動モータ２５を駆動し、光センサ２１Ｂの位置までリライトカード２を搬送する。ここで、リライトカード２が光センサ１１Ｃを通過して光センサ１１Ｃからの検知出力がなくなると、データ処理ユニット１０側の搬送ローラ駆動モータ１６を停止する。光センサ２１Ｂからカード検知信号が制御部３０に入力すると、冷却室２３にリライトカード２を停止して冷却し表示部２Ａを変色処理して目視データを消去する（ステップ６）。変色処理が終了すると搬送ローラ駆動モータ２５を逆転させて、リライトカード２をデータ処理ユニット１０の印字処理部１４へ搬送する（ステップ７）。ここで、光センサ１１Ｃから検知出力が制御部３０に入力すると、搬送ローラ駆動モータ１６を駆動し、光センサ２１Ａの検知出力がなくなると、変色処理ユニット２０側の搬送ローラ駆動モータ２５を停止する。リライトカード２が印字処理部１４に搬送されるとサーマルヘッド１４Ａにより表示部２Ａを加熱処理して印字部分を変色させることにより書込みデータに応じた目視データを表示部２Ａに印字する（ステップ８）。印字処理が終了すればリライトカード２をカード挿入部４から排出する（ステップ９）。
【００２６】
次に、本実施形態のカード処理装置１の詳細な処理動作を図５のフローチャートに示し説明する。
ステップ１１では、光センサ１１Ａがリライトカード２を検知したか否かを判定する。判定がＹＥＳであれば、搬送ローラ駆動モータ１６を駆動してリライトカード２を搬送し、ステップ１２に進む。
ステップ１２では、カード挿入方向検知センサ１２の出力に基づいて挿入方向が正しいか否かを判定する。判定がＹＥＳであれば、ステップ１３に進む。
【００２７】
ステップ１３では、データ処理部１３によりカードデータの読取りを行う。
ステップ１４では、読取りデータに基づいて処理可能なカードか否かを判定する。判定がＹＥＳであれば、ステップ１５に進む。
ステップ１５では、カードデータの書込みを行う。
ステップ１６では、書込みが正しく行われたか否かを判定し、判定がＹＥＳであれば、ステップ１７に進む。
【００２８】
ステップ１７では、読取りデータに基づいて新規発行カードか否かを判定する。表示部２Ａに既に目視データが印字された発行済みカードであれば判定がＮＯとなり、変色処理により目視データを消去するためステップ１８に進み、変色処理ユニット２０へリライトカード２を搬送する。表示部２Ａに目視データが印字されていない新規発行カードであれば判定がＹＥＳとなり、ステップ１８〜２０を飛び越してステップ２１に進む。
【００２９】
ステップ１９では、光センサ２１Ｂがリライトカード２を検知したか否かを判定し、検知したらステップ２０へ進む。
ステップ２０では、リライトカード２を温度ｔ１以下に冷却されている冷却室２２内に予め設定した所定の冷却時間停止保持したか否かを判定し、冷却時間が経過すれば判定がＹＥＳとなり、表示部２Ａ全面が第１の色に変色して目視データが消去できたと判断してステップ２１に進む。
【００３０】
ステップ２１では、リライトカード２をデータ処理ユニット１３の印字処理部１４へ搬送する。
ステップ２２では、印字処理部１４でサーマルヘッド１４Ａにより表示部２Ａの印字部分を温度ｔ２以上に加熱処理して目視データを印字する。
ステップ２３では、リライトカード２をカード挿入部４から排出する。
【００３１】
かかる第１実施形態の構成のカード処理装置１によれば、単純な冷却処理と加熱処理によりリライトカード２の表示部２Ａの目視データの書換えができるので、複雑な温度制御をする必要がなく、目視データの更新処理が極めて単純にできるようになる。
【００３２】
次に、リライトカードの自動発行機能を備えた本発明のカード処理装置の第２実施形態を説明する。
図６〜図８は、本発明に係るカード処理装置の第２実施形態を示す図で、図６はブロック構成図、図７及び図８は、カード処理装置内の搬送系の概略構成を示す上面図と側面図である。尚、第１実施形態と同一要素には同一符号を付して説明を省略する。
【００３３】
図において、第２実施形態のカード処理装置４０は、発行するリライトカード２を収納するカードホッパ部４１と、リライトカード２の発行操作を行うための操作部４２が付加されている。その他は第１実施形態と同じ構成である。
カードホッパ部４１は、図７及び図８に示すように、変色処理ユニット２０のカード搬送方向奥側に配置され、リライトカード２を収納する。収納されたリライトカード２は、最下部のカード裏面に接触する図示しない送出しローラにより、搬送経路５に送出される。
そして、本実施形態は、カードホッパ部４１に、未発行の新規リライトカードと共に、回収したリサイクルのリライトカードを目視データが印字されたままの状態で混在して収納して発行する構成である。
【００３４】
図９のフローチャートを参照して本実施形態のカード発行動作を説明する。
ステップ３１では、操作部４２から制御部３０にカード発行指令があったか否かを判定し、判定がＹＥＳであればステップ３２に進む。
ステップ３２では、送出しローラを駆動してリライトカード２をカードホッパ部４１から送出し、データ処理ユニット１０の挿入方向検知センサ１２まで搬送する。
その後は、第１実施形態のステップ１２〜２３と同様の動作となる。
【００３５】
即ち、ステップ３３でカード挿入方向が正しいと判定されれば、ステップ３４でカードデータの読取りを行い、ステップ３５で処理可能なカードと判定されれば、ステップ３６でカードデータの書込みを行う。ステップ３７で書込みが正しく行われたと判定されれば、ステップ３８で未発行の新規カードか否かを判定し、表示部２Ａに目視データが印字されている発行済みリサイクルカードと判定されれば、ステップ３９で変色処理ユニットへ搬送し、ステップ４０，４１の変色処理により表示部２Ａの目視データを消去する。一方、ステップ３８で未発行の新規カードと判定されれば、変色処理ユニット２０へは搬送せずステップ４２に進む。ステップ４２で、リライトカード２を印字処理部１４へ搬送し、ステップ４３で表示部２Ａにサーマルヘッド１４Ａにより目視データを印字し、ステップ４４でリライトカード２をカード挿入部４から発行する。
【００３６】
かかる第２実施形態の構成のカード処理装置４０によれば、リライトカード２を回収したままの状態、即ち、表示部２Ａの目視データを消去することなく、リサイクル発行することができる。
【００３７】
尚、上記実施形態では、新規カードとリサイクルカードを判別して変色処理ユニット２０による目視データの消去処理を実行するか否かを選択する構成であるが、カードホッパ部４１から送出した発行カードは、変色処理ユニット２０を通過してデータ処理ユニット１０へ搬送されるので、新規カードとリサイクルカードに関係なく発行するカード全てに対して変色処理ユニット２０により目視データの消去処理を実行するよう構成してもよい。この場合、図９のステップ３２の直後に、ステップ３９〜４１の動作を実行してステップ３３に進む。ただし、ステップ４０の判定は光センサ２１Ｂに代えて光センサ２１Ａの検知出力を利用する。また、ステップ３８の判定動作は不要となり、ステップ３７で判定がＹＥＳになったときはステップ４２に進む動作となる。
【００３８】
次に、本発明の第３実施形態について説明する。
第３実施形態は、回収したリサイクルカードの目視データを消去処理してからカードホッパ部４１に収納して発行する構成である。尚、ハードウエア構成は、第２実施形態と同じであり、ソフトウエアが異なるだけであり、図１０に本実施形態のカード発行動作を示す。
【００３９】
図１０において、ステップ５１〜ステップ５５までの動作は第２実施形態のステップ３１〜３７と同様であるので、ここでは説明を省略する。
本実施形態装置では、ステップ５７の判定がＹＥＳとなった後は、変色処理ユニット２０へは搬送せずに、直ちにステップ５８で印字処理部１４に搬送し、ステップ５９で目視データの印字を実行し、ステップ６０でカードを排出して発行する。
尚、カードホッパ部４１に収納する前のリサイクルカードの目視データの消去は、外部において温度ｔ１以下に冷却処理すればよい。
【００４０】
次に、本発明の第４実施形態について説明する。
本実施形態は、解約処理機能を設ける構成である。
図１１のフローチャートを参照して本実施形態装置の回収動作を説明する。
カード挿入部４に解約するリライトカード２が挿入されると動作が開始される。尚、ステップ７１〜７４の動作は第１実施形態のステップ１１〜１４と同様であるのでここでは説明を省略する。
【００４１】
ステップ７５では、データ処理部１３によりカードデータの消去を行う。
ステップ７６では、消去が正しく行われたか否かを判定し、判定がＹＥＳであれば、ステップ７７に進む。
ステップ７７〜７９では、第１実施形態のステップ１８〜２０と同様の変色処理動作を実行し表示部２Ａの目視データを消去する。
ステップ８０では、例えばカード回収用のストック部へ回収カードを搬送するよう搬送系を制御して解約カードを回収する。
一方、ステップ７２、７４、７６のいずれかでＮＯと判定された場合は、ステップ８１に進み、カードをカード挿入部４から排出して返却する。
【００４２】
かかる構成によれば、解約カードの回収処理と同時に、表示部２Ａの目視データの消去処理も自動的に行うので、回収したリライトカード２をリサイクル使用する際に、目視データの消去処理を別途行う必要がない。
第４実施形態のステップ７７〜７９の目視データ消去処理を省略して目視データを消去せずに回収する構成としてもよく、かかる構成の解約機能では、第２実施形態の装置に組み込むことが望ましい。
【００４３】
尚、冷却室内における結露等を考慮して冷却室の湿度を管理する湿度管理手段を設けることが望ましい。この場合、定期的に冷却室内の水分を除去するようにしてもよく、湿度を監視して冷却室内の湿度を監視制御するようにしてもよい。
また、上記実施形態では、光センサ２１Ｂを設けて変色処理ユニット２０への搬入を検知する構成としたが、光センサ２１Ｂを省略してもよい。この場合、リライトカード２が光センサ２１Ａを通過して光センサ２１Ａからの検知信号がなくなったときに変色処理ユニット２０にリライトカードが搬入された判断するようにすればよい。
また、カードの搬送形態はローラ搬送に限定するものではなく、ベルト搬送等でもよい。
また、上記実施形態では、カード搬送系の駆動源（駆動モータ）をデータ処理ユニット、変色処理ユニット、送出しローラで別々に設ける構成としたが、１つの駆動源を共用する構成とすれば、カード処理装置の小型化及び低コスト化を図ることができる。
【図面の簡単な説明】
【００４４】
【図１】本発明の第１実施形態を示すブロック図
【図２】第１実施形態の装置内部の概略上面図
【図３】第１実施形態の装置内部の概略側面図
【図４】第１実施形態の基本的処理動作の流れを説明するフローチャート
【図５】第１実施形態の詳細な処理動作を説明するフローチャート
【図６】本発明の第２実施形態を示すブロック図
【図７】第２実施形態の装置内部の概略上面図
【図８】第２実施形態の装置内部の概略側面図
【図９】第２実施形態の発行動作を説明するフローチャート
【図１０】第３実施形態の発行動作を説明するフローチャート
【図１１】第４実施形態の回収動作を説明するフローチャート
【図１２】表示部に使用する感温変色インクの変色温度特性を示す図
【符号の説明】
【００４５】
１，４０    カード処理装置
２    リライトカード
２Ａ    表示部
５    搬送経路
１０    データ処理ユニット
１１，２１    カード検知センサ群
１２    カード挿入検知センサ
１３    データ処理部
１４    印字処理部
１５ａ〜１５ｆ，２４ａ〜２４ｄ    搬送ローラ
１６，２５    搬送ローラ駆動モータ
２０    変色処理ユニット
２２    冷却室
２３    冷却装置
３０    制御部
４１    カードホッパ部
４２    操作部
【図１】
2006243835.tif 000003
【図２】
2006243835.tif 000004
【図３】
2006243835.tif 000005
【図４】
2006243835.tif 000006
【図５】
2006243835.tif 000007
【図６】
2006243835.tif 000008
【図７】
2006243835.tif 000009
【図８】
2006243835.tif 000010
【図９】
2006243835.tif 000011
【図１０】
2006243835.tif 000012
【図１１】
2006243835.tif 000013
【図１２】
2006243835.tif 000014